(57)【要約】【課題】着座者の横方向の体重移動を伴う使用にも耐え、しかもコンパクトに折り畳み可能な正座補助椅子を提供すること【解決手段】人の臀部を載せることのできる座板２と、この座板２を支持する一対の脚部材３と、座板２の横方向の中間部と脚部材３の非接地側の端部とを接続するヒンジ機構４とを備え、ヒンジ機構４により、座板２の横方向の中間部から下方に向かって進むにつれて横方向外側に傾いて延びるように起立される起立位置と、座板２の下面と重なり合うように折り畳まれる折畳位置との間で脚部材３を回動可能に構成される正座補助椅子１において、脚部材３に対し折り畳み可能に設けられ、脚部材３を起立位置に保持する保持部材５，５´を備えるものとする。【選択図】図１
2011229813.tif 000002
【特許請求の範囲】
【請求項１】
人の臀部を載せることのできる座板と、この座板を支持する一対の脚部材と、前記座板の横方向の中間部と前記脚部材の非接地側の端部とを接続するヒンジ機構とを備え、
前記ヒンジ機構により、前記座板の横方向の中間部から下方に向かって進むにつれて横方向外側に傾いて延びるように起立される起立位置と、前記座板の下面と重なり合うように折り畳まれる折畳位置との間で前記脚部材を回動可能に構成される正座補助椅子において、
前記脚部材に対し折り畳み可能に設けられ、前記脚部材を起立位置に保持する保持部材を備えることを特徴とする正座補助椅子。
【請求項２】
前記脚部材を起立位置で止めるストッパが設けられる請求項１に記載の正座補助椅子。
【請求項３】
前記保持部材は、前記脚部材の奥行方向に一対配置される請求項１または２に記載の正座補助椅子。
【請求項４】
人の臀部を載せることのできる座板と、この座板を支持する一対の脚部材と、前記座板の横方向の中間部と前記脚部材の非接地側の端部とを接続するヒンジ機構とを備え、
前記ヒンジ機構により、前記座板の横方向の中間部から下方に向かって進むにつれて横方向外側に傾いて延びるように起立される起立位置と、前記座板の下面と重なり合うように折り畳まれる折畳位置との間で前記脚部材を回動可能に構成される正座補助椅子において、
前記脚部材に対し着脱可能に設けられ、前記脚部材を起立位置に保持する保持部材を備えることを特徴とする正座補助椅子。
【請求項５】
前記脚部材を起立位置で止めるストッパが設けられる請求項４に記載の正座補助椅子。
【請求項６】
前記脚部材に対する前記保持部材の着脱を案内するガイドが設けられる請求項４または５に記載の正座補助椅子。
【発明の詳細な説明】
【技術分野】
【０００１】
本発明は、冠婚葬祭や各種の会合の席などで長時間正座するときに、お尻の下に敷いて足が痺れるのを軽減する携帯式の正座補助椅子に関するものである。
【背景技術】
【０００２】
この種の従来の正座補助椅子として、例えば特許文献１にて提案されているものがある。
【先行技術文献】
【特許文献】
【０００３】
【特許文献１】特開２００１−２２４４４０号公報
【０００４】
この特許文献１に係る正座補助椅子１０１は、図２０に示されるように、ヒンジ１０２によって開閉可能に連結された箱状の平坦状部材１０３，１０３と、この平坦状部材１０３，１０３に対し着座者の横方向に回動自在に取り付けられる互いに独立した脚部１０４，１０４とを備えて構成されている。なお、図２０中記号（Ｈ）にて示されるものは着座者の臀部、記号（Ｆ）にて示されるのは着座者の足である。
【０００５】
この正座補助椅子１０１を使用する場合には、平坦状部材１０３を開いて水平にし、脚部１０４を八の字状に開いて立てる。２つの脚部１０４はそれぞれ独立して着座者の体重を支える。
また、正座補助椅子１０１を使わない場合には、平坦状部材１０３の裏側に脚部１０４を寝かすように折り畳み、平坦状部材１０３を折り畳んで閉じる。２枚の平坦状部材１０３を閉じることで、その内部に折り畳んだ脚部１０４を収納することができる。
【０００６】
しかしながら、この正座補助椅子１０１では、使用の際に八の字形に広がった２つの脚部１０４が独立して着座者の体重を支えるため、着座者の体重移動が横方向に作用したとき、脚部１０４が不意に閉じてバランスを崩す恐れがあるという問題点がある。
【発明の概要】
【発明が解決しようとする課題】
【０００７】
本発明は、前述のような問題点に鑑みてなされたもので、着座者の横方向の体重移動を伴う使用にも耐え、しかもコンパクトに折り畳み可能な正座補助椅子を提供することを目的とするものである。
【課題を解決するための手段】
【０００８】
前記目的を達成するために、第１発明による正座補助椅子は、
人の臀部を載せることのできる座板と、この座板を支持する一対の脚部材と、前記座板の横方向の中間部と前記脚部材の非接地側の端部とを接続するヒンジ機構とを備え、
前記ヒンジ機構により、前記座板の横方向の中間部から下方に向かって進むにつれて横方向外側に傾いて延びるように起立される起立位置と、前記座板の下面と重なり合うように折り畳まれる折畳位置との間で前記脚部材を回動可能に構成される正座補助椅子において、
前記脚部材に対し折り畳み可能に設けられ、前記脚部材を起立位置に保持する保持部材を備えることを特徴とするものである。
【０００９】
第１発明において、前記脚部材を起立位置で止めるストッパが設けられるのが好ましい（第２発明）。
【００１０】
第１発明または第２発明において、前記保持部材は、前記脚部材の奥行方向に一対配置されるのが好ましい（第３発明）。
【００１１】
次に、第４発明による正座補助椅子は、
人の臀部を載せることのできる座板と、この座板を支持する一対の脚部材と、前記座板の横方向の中間部と前記脚部材の非接地側の端部とを接続するヒンジ機構とを備え、
前記ヒンジ機構により、前記座板の横方向の中間部から下方に向かって進むにつれて横方向外側に傾いて延びるように起立される起立位置と、前記座板の下面と重なり合うように折り畳まれる折畳位置との間で前記脚部材を回動可能に構成される正座補助椅子において、
前記脚部材に対し着脱可能に設けられ、前記脚部材を起立位置に保持する保持部材を備えることを特徴とするものである。
【００１２】
第４発明において、前記脚部材を起立位置で止めるストッパが設けられるのが好ましい（第５発明）。
【００１３】
第４発明または第５発明において、前記脚部材に対する前記保持部材の着脱を案内するガイドが設けられるのが好ましい（第６発明）。
【発明の効果】
【００１４】
第１発明の正座補助椅子においては、脚部材を起立位置に保持する保持部材が設けられる。これにより、着座者が横方向へ体重移動したとしも、脚部材を起立位置で強固に保持することができる。
また、脚部材は起立位置と折畳位置との間で回動可能とされ、保持部材は脚部材に対し折り畳み可能とされるので、脚部材に対し保持部材を折り畳むとともに、脚部材を折畳位置にすることで、正座補助椅子をコンパクトに折り畳むことができる。
第１発明の正座補助椅子によれば、着座者の横方向の体重移動を伴う使用にも耐え、しかもコンパクトに折り畳み可能であるという効果がある。
【００１５】
第２発明の構成を採用することにより、脚部材を起立位置に正確に位置決めすることができる。
【００１６】
第３発明の構成を採用することにより、例えば手や足、その他何らかの物の衝突によって、一対の保持部材のうちの一方の保持部材が不意に折り畳まれたとしても、他方の保持部材によって脚部材を起立状態に保持することができる。
【００１７】
第４発明の正座補助椅子においては、脚部材を起立位置に保持する保持部材が設けられる。これにより、着座者が横方向へ体重移動したとしも、脚部材を起立位置で強固に保持することができる。
また、脚部材は起立位置と折畳位置との間で回動可能とされ、保持部材は脚部材に対し着脱可能とされるので、脚部材から保持部材を取り外すとともに、脚部材を折畳位置にすることで、正座補助椅子をコンパクトに折り畳むことができる。
第４発明の正座補助椅子によれば、着座者の横方向の体重移動を伴う使用にも耐え、しかもコンパクトに折り畳み可能であるという効果がある。
【００１８】
第５発明の構成を採用することにより、脚部材を起立位置に正確に位置決めすることができる。
【００１９】
第６発明の構成を採用することにより、脚部材に対する保持部材の抜き差し動作をよりスムーズに行うことができる。
【図面の簡単な説明】
【００２０】
【図１】本発明の第１の実施形態に係る正座補助椅子の全体斜視図
【図２】第１の実施形態に係る正座補助椅子の正面図
【図３】第１の実施形態に係る正座補助椅子の右側面図
【図４】第１の実施形態に係る正座補助椅子の折畳・展開動作説明図（１）
【図５】第１の実施形態に係る正座補助椅子の折畳・展開動作説明図（２）
【図６】本発明の第２の実施形態に係る正座補助椅子の全体斜視図
【図７】第２の実施形態に係る正座補助椅子の正面図
【図８】第２の実施形態に係る正座補助椅子の右側面図
【図９】第２の実施形態に係る正座補助椅子の折畳・展開動作説明図
【図１０】本発明の第３の実施形態に係る正座補助椅子の全体斜視図
【図１１】第３の実施形態に係る正座補助椅子の正面図
【図１２】第３の実施形態に係る正座補助椅子の右側面図で、保持部材を取り付けた状態図（ａ）および保持部材を取り外した状態図（ｂ）
【図１３】第３の実施形態に係る正座補助椅子の折畳・展開動作説明図（１）
【図１４】第３の実施形態に係る正座補助椅子の折畳・展開動作説明図（２）
【図１５】第３の実施形態に係る正座補助椅子の包装説明図
【図１６】本発明の第４の実施形態に係る正座補助椅子の全体斜視図
【図１７】第４の実施形態に係る正座補助椅子の正面図
【図１８】第４の実施形態に係る正座補助椅子の右側面図
【図１９】第４の実施形態に係る正座補助椅子の折畳・展開動作説明図
【図２０】従来技術の説明図
【発明を実施するための形態】
【００２１】
次に、本発明による正座補助椅子の具体的な実施の形態について、図面を参照しつつ説明する。
【００２２】
〔第１の実施形態〕
図１には、本発明の第１の実施形態に係る正座補助椅子の全体斜視図が示されている。
【００２３】
＜正座補助椅子の概略構成の説明＞
図１に示されるように、第１の実施形態の正座補助椅子１は、座板２と、脚部材３と、ヒンジ機構４と、座板２と脚部材３との間で脚部材３の奥行方向（着座者の前後方向）に互いに重ね合わされるように配置される一対の保持部材５，５´とを備えている。
【００２４】
＜座板の説明＞
図２および図３に示されるように、座板２は、上面板６と下面板７とから構成されている。
上面板６は、基板８の上面に弾力性に富むクッション材９が貼り付けられて構成されている。この上面板６は、着座者の左右方向に対応する横方向の寸法に対して着座者の前後方向に対応する奥行方向の寸法が短い長方形状で、人の臀部（Ｈ）を載せることができる大きさに形成されている。なお、この上面板６を図示されないカバーで覆うのが好ましい。かかるカバーとしては、合成皮や市販の布地類などが好適である。カバーには、華麗な色柄を付したり、冠婚葬祭に適合する和風調の色柄を付したりするのがよい。
下面板７は、上面板６を所定の比率で縮小した相似形状に形成されており、上面板６の基板８の下面に一体的に接合されている。
【００２５】
＜脚部材の説明＞
脚部材３は、座板２を下側から支えるものであり、座板２の横方向（着座者の左右方向）に一対配置されている。この脚部材３の脚長寸法は、脚部材３が後述する起立位置にあるとき、座板２が所定高さ位置に配されるようにその大きさが決定されている。
なお、所定高さ位置とは、着座者が臀部（Ｈ）を座板２に載せて正座姿勢をとったとしても、ふくらはぎや足（Ｆ）の圧迫が軽減され、しかも正座姿勢として違和感がないという条件を満足する高さ位置のことである。
【００２６】
＜座板と脚部材間のヒンジ機構の説明＞
ヒンジ機構４は、座板２の横方向の中間部と、脚部材３の非接地側の端部（基端部）とを接続するものである。このヒンジ機構４は、第１取付部４ａと、第２取付部４ｂと、第３取付部４ｃと、連結部４ｄとにより構成されている。
第１取付部４ａは、下面板７に押し当てられる比較的薄い金属製の板状部材で構成され、その下面板７にビス等の固定手段で固定されている。
第２取付部４ｂは、脚部材３の基端部の端面に押し当てられる比較的薄い金属製の板状部材で構成されている。
第３取付部４ｃは、第２取付部４ｂに対し直角を成して一体的に連続して脚部材３の基端部の板面に押し当てられる比較的薄い金属製の板状部材で構成され、その脚部材３の基端部にビス等の固定手段で固定されている。
連結部４ｄは、第１取付部４ａと第２取付部４ｂとを連結するピンを有してなり、これら第１取付部４ａと第２取付部４ｂとを互いに揺動自在に接合するものである。
このヒンジ機構４により、脚部材３は、座板２の横方向の中間部から下方に向かって進むにつれて横方向外側に傾いて延びるように起立される起立位置と、座板２の下面と重なり合うように折り畳まれる折畳位置との間で回動可能とされる。
【００２７】
＜脚部材の起立位置のストッパの説明＞
下面板７の横方向の中間部には、脚部材３の非接地側の端面（基端面）に押し当てられるヒンジ機構４の第２取付部４ｂと突き当て可能にストッパ１１が接合されている。このストッパ１１は、ヒンジ機構４の第２取付部４ｂに面接触する平坦面を有して下面板７の奥行方向に延びる三角柱状部材で構成されている。
このストッパ１１により、折畳位置から起立位置に向けて回動される脚部材３が起立位置で止められるので、脚部材３を起立位置に正確に位置決めすることができる。
なお、脚部材３が起立位置にあるときには、ストッパ１１と脚部材３の基端面との間にヒンジ機構４の第２取付部４ｂが挟まれることになる。これにより、脚部材３を起立位置に位置決めするにあたって、ヒンジ機構４の連結部４ｄに作用する負荷を大幅に軽減することができる。
【００２８】
＜保持部材の説明＞
保持部材５，５´は、脚部材３を起立位置に保持するものであって、座板２と脚部材３との間において脚部材３に対し折り畳み可能に設けられている。
保持部材５，５´は、正面視略ブーメラン形状で所定板厚寸法の板状部材で構成され、基端部５ａと、本体部５ｂと、先端部５ｃとを有している。
基端部５ａは、脚部材３の脚長方向中間部から脚部材３の接地側の端部（先端部）に亘ってヒンジ機構１２を介して脚部材３に接続されている。
本体部５ｂは、座板２と脚部材３との間に着座者の足（Ｆ）を組み入れるための空間をより広く確保するため、その外縁が円弧状に切り欠かれた形状に形成されている。
先端部５ｃは、下面板７の横方向の端部に突き当てられる突き当て面を有している。
なお、この保持部材５，５は、座板２を補助的に支持する補強部材としても機能する。
【００２９】
＜保持部材の突起部の説明＞
一対の保持部材５，５´のうち、一方の保持部材５の先端部には、当該保持部材５が起立位置に起立された状態において、同様に起立位置に起立された状態にある他方の保持部材５´の先端部に対して、下面板７の横方向外側に突出される突起部５ｄが形成されている。
この突起部５ｄに手指を引っ掛けることにより、一方の保持部材５の折り畳み操作を容易に行うことができる。一方の保持部材５を折り畳んだ後には、他方の保持部材５´を容易に折り畳むことができるのは言うまでもない。
【００３０】
＜脚部材と保持部材間のヒンジ機構の説明＞
ここで、脚部材３と保持部材５，５´とを接続するヒンジ機構１２は、第１取付部１２ａと、第２取付部１２ｂと、連結部１２ｃとにより構成されている。
第１取付部１２ａは、脚部材３の板面に押し当てられる比較的薄い金属製の板状部材で構成され、その脚部材３にビス等の固定手段で固定されている。
第２取付部１２ｂは、保持部材５，５´の基端部５ａの板面に押し当てられる比較的薄い金属製の板状部材で構成され、その保持部材５，５´の基端部５ａにビス等の固定手段で固定されている。
連結部１２ｃは、第１取付部１２ａと第２取付部１２ｂとを連結するピンを有してなり、これら第１取付部１２ａと第２取付部１２ｂとを互いに揺動自在に接合するものである。
このヒンジ機構１２により、一対の保持部材５，５´は、脚部材３の奥行方向に互いに重ね合わされて下面板７の横方向の端部における奥行方向中間部に突き当てるように起立される起立位置と、脚部材３の板面と重なり合うように折り畳まれる折畳位置との間で回動可能とされる。
【００３１】
＜保持部材の起立状態の保持手段の説明＞
図４（ｂ）に示されるように、一対の保持部材５，５´のうち、一方の保持部材５には、磁石１３が埋め込まれ、他方の保持部材５´には、その磁石１３に対応させるように磁性体１４が埋め込まれている。そして、一方の保持部材５と他方の保持部材５´とが共に起立位置にあるとき、磁石１３と磁性体１４との間に作用する磁力によって、それら保持部材５，５´の起立状態が保持されるようになっている。
【００３２】
＜脚部材の折畳状態の保持手段の説明＞
下面板７には、脚部材３に対し折畳状態にある一方の保持部材５に埋め込まれている磁石１３に対応させるように磁性体１５が埋め込まれている。そして、一対の保持部材５，５´が折り畳まれた状態の脚部材３が折畳位置にあるとき、磁石１３と磁性体１５との間に作用する磁力によって、その脚部材３の折畳状態が保持されるようになっている。
【００３３】
＜構成部品の材質の説明＞
上面板６の基板８や下面板７、脚部材３、保持部材５，５´などの構成部品は、比較的高い剛性を得ることができ、しかも軽量化を図ることができる木材や樹脂などの材質のもので構成するのが好ましい。
また、クッション材９などの構成部品は、比較的高い弾性力を得ることができ、しかも軽量化を図ることができる発砲樹脂などの材質のもので構成するのが好ましい。
【００３４】
＜正座補助椅子の折畳動作の説明＞
以上に述べたように構成される正座補助椅子１の折畳動作について説明する。
まず、図２において起立位置にある保持部材５，５´を折畳位置に向けて連結部１２ｃ（図３参照）を中心に回動し、図４（ａ）（ｂ）に示されるように、保持部材５，５´を折畳位置に位置させる。
次いで、起立位置にある脚部材３を既に折り畳まれた保持部材５，５´と共に折畳位置に向けて連結部４ｄを中心に回動し、それら脚部材３と保持部材５，５´とを共に座板２に重ね合わせて折畳位置に位置させる。
こうして、図５（ａ）（ｂ）に示されるように、正座補助椅子１を容易かつコンパクトに折り畳むことができる。
【００３５】
＜正座補助椅子の展開動作の説明＞
次に、正座補助椅子１の展開動作について説明する。
まず、図５（ａ）（ｂ）において折畳位置にある脚部材３をやはり折畳位置にある保持部材５，５´と共に起立位置に向けて連結部４ｄを中心に回動し、図４（ａ）に示されるように、脚部材３の基端面に押し当てられている第２取付部４ｂをストッパ１１に突き当てて脚部材３を起立位置に位置決めする。
次いで、保持部材５，５´を折畳位置から起立位置に向けて連結部１２ｃ（図３参照）を中心に回動し、保持部材５，５´を起立位置に位置させる。
こうして、図２に示されるように、一対の脚部材３，３を正面視八の字状に起立保持させて正座補助椅子１を使用可能な状態に容易に展開することができる。
【００３６】
＜第１の実施形態の正座補助椅子の作用効果の説明＞
第１の実施形態の正座補助椅子１においては、脚部材３を起立位置に保持する保持部材５，５´が設けられる。これにより、着座者が横方向へ体重移動したとしても、脚部材３を起立位置で強固に保持することができる。また、連結部１２ｃを中心とする保持部材５，５´の回動操作と、連結部４ｄを中心とする脚部材３の回動操作とにより、正座補助椅子１を容易に折り畳んだり展開したりすることができる。したがって、着座者の横方向の体重移動を伴う使用にも耐え、しかも携帯に便利な正座補助椅子１を得ることができる。
なお、保持部材５，５´は座板２を補助的に支持する補強部材としても機能するので、正座補助椅子１の強度を高めることができ、比較的大きな荷重を支え得るものとすることができる。
【００３７】
〔第２の実施形態〕
図６には、本発明の第２の実施形態に係る正座補助椅子の全体斜視図が示されている。
【００３８】
＜正座補助椅子の概略構成の説明＞
図６に示されるように、第２の実施形態の正座補助椅子３１は、座板３２と、脚部材３３と、ヒンジ機構３４と、保持部材３５とを備えている。
【００３９】
＜座板の説明＞
図７および図８に示されるように、座板３２は、上面板３６と下面板３７とから構成されている。
上面板３６は、基板３８の上面に弾力性に富むクッション材３９が貼り付けられて構成されている。この上面板３６は、着座者の左右方向に対応する横方向の寸法に対して着座者の前後方向に対応する奥行方向の寸法が短い長方形状で、人の臀部（Ｈ）を載せることができる大きさに形成されている。なお、この上面板３６を図示されないカバーで覆うのが好ましい。かかるカバーとしては、合成皮や市販の布地類などが好適である。カバーには、華麗な色柄を付したり、冠婚葬祭に適合する和風調の色柄を付したりするのがよい。
下面板３７は、上面板３６を所定の比率で縮小した相似形状に形成されており、上面板３６の基板３８の下面に一体的に接合されている。
【００４０】
＜脚部材の説明＞
脚部材３３は、座板３２を下側から支えるものであり、座板３２の横方向（着座者の左右方向）に一対配置されている。この脚部材３３は、四角形状の板状部材で構成されている。
ここで、脚部材３３の奥行寸法は、下面板３７の奥行寸法と一致されている。また、脚部材３３の脚長寸法は、脚部材３３が後述する起立位置にあるとき、座板３２が所定高さ位置に配されるようにその大きさが決定されている。
なお、所定高さ位置とは、着座者が臀部（Ｈ）を座板３２に載せて正座姿勢をとったとしても、ふくらはぎや足（Ｆ）の圧迫が軽減され、しかも正座姿勢として違和感がないという条件を満足する高さ位置のことである。
【００４１】
＜座板と脚部材間のヒンジ機構の説明＞
ヒンジ機構３４は、座板３２の横方向の中間部と、脚部材３３の非接地側の端部（基端部）とを接続するものである。このヒンジ機構３４は、第１取付部３４ａと、第２取付部３４ｂと、連結部３４ｃとにより構成されている。
第１取付部３４ａは、下面板３７に押し当てられる比較的薄い金属製の板状部材で構成され、その下面板３７にビス等の固定手段で固定されている。
第２取付部３４ｂは、脚部材３３の基端部の板面に押し当てられる比較的薄い金属製の板状部材で構成され、その脚部材３３の基端部にビス等の固定手段で固定されている。
連結部３４ｃは、第１取付部３４ａと第２取付部３４ｂとを連結するピンを有してなり、これら第１取付部３４ａと第２取付部３４ｂとを互いに揺動自在に接合するものである。
このヒンジ機構３４により、脚部材３３は、座板３２の横方向の中間部から下方に向かって進むにつれて横方向外側に傾いて延びるように起立される起立位置と、座板３２の下面と重なり合うように折り畳まれる折畳位置との間で回動可能とされる。
【００４２】
＜脚部材の起立位置のストッパの説明＞
下面板３７の横方向の中間部には、脚部材３３の非接地側の端面（基端面）と突き当て可能にストッパ４１が接合されている。このストッパ４１は、脚部材３３の基端面に接触する平坦面を有して下面板３７の奥行方向に延びる三角柱状部材で構成されている。
このストッパ４１により、折畳位置から起立位置に向けて回動される脚部材３３が起立位置で止められるので、脚部材３３を起立位置に正確に位置決めすることができる。
【００４３】
＜保持部材の説明＞
保持部材３５は、脚部材３３を起立位置に保持するものであって、座板３２と脚部材３３との間において脚部材３３に対し折り畳み可能に設けられている。
保持部材３５は、正面視略ブーメラン形状で所定板厚寸法の板状部材で構成され、基端部３５ａと、本体部３５ｂと、先端部３５ｃとを有している。
基端部３５ａは、脚部材３３の脚長方向中間部から脚部材３３の接地側の端部（先端部）に亘ってヒンジ機構４２を介して脚部材３３に接続されている。
本体部３５ｂは、座板３２と脚部材３３との間に着座者の足（Ｆ）を組み入れるための空間をより広く確保するため、その外縁が円弧状に切り欠かれた形状に形成されている。
先端部３５ｃは、下面板３７の横方向の端部に突き当てられるやや尖った形状に形成されている。
なお、この保持部材３５は、座板３２を補助的に支持する補強部材としても機能する。
【００４４】
＜脚部材と保持部材間のヒンジ機構の説明＞
ここで、脚部材３３と保持部材３５とを接続するヒンジ機構４２は、第１取付部４２ａと、第２取付部４２ｂと、連結部４２ｃとにより構成されている。
第１取付部４２ａは、脚部材３３の板面に押し当てられる比較的薄い金属製の板状部材で構成され、その脚部材３３にビス等の固定手段で固定されている。
第２取付部４２ｂは、保持部材３５の基端部の板面に押し当てられる比較的薄い金属製の板状部材で構成され、その保持部材３５の基端部にビス等の固定手段で固定されている。
連結部４２ｃは、第１取付部４２ａと第２取付部４２ｂとを連結するピンを有してなり、これら第１取付部４２ａと第２取付部４２ｂとを互いに揺動自在に接合するものである。
このヒンジ機構４２により、保持部材３５は、下面板３７の横方向の端部における奥行方向中間部に突き当てるように起立される起立位置と、脚部材３３の板面と重なり合うように折り畳まれる折畳位置との間で回動可能とされる。
【００４５】
＜保持部材の起立位置のストッパの説明＞
下面板３７の横方向の端部には、保持部材３５の先端部の端縁と突き当て可能にストッパ４３が接合されている。このストッパ４３は、保持部材３５の先端部の端縁に接触する平坦面を有する四角板状チップで構成されている。
このストッパ４３により、折畳位置から起立位置に向けて回動される保持部材３５が起立位置で止められるので、保持部材３５を起立位置に正確に位置決めすることができる。
【００４６】
＜保持部材の折畳状態の保持手段の説明＞
保持部材３５の先端部３５ｃには、弾力性に富む弾性部材からなる掛止部材４４が接合されている。この掛止部材４４は、保持部材３５が折畳位置にあるとき脚部材３３の側面にやや押し付け状態で突き当てられる平坦面を有し、自身の弾性変形に伴う反発力を脚部材３３に付与して、その平坦面と脚部材３３の側面との摩擦力によって掛け止められるようになっている。
こうして、脚部材３３に対し保持部材３５が折り畳まれると、掛止部材４４が脚部材３３に掛け止められて保持部材３５が折畳位置で保持される。これにより、脚部材３３を保持部材３５と共に折畳位置に向けて回動する際にその脚部材３３と座板３２との間に保持部材３５が挟まって脚部材３３の折り畳み動作に支障を来すといった不具合を未然に防ぐことができる。
【００４７】
＜構成部品の材質の説明＞
上面板３６の基板３８や下面板３７、脚部材３３、保持部材３５などの構成部品は、比較的高い剛性を得ることができ、しかも軽量化を図ることができる木材や樹脂などの材質のもので構成するのが好ましい。
また、クッション材３９や掛止部材４４などの構成部品は、比較的高い弾性力を得ることができ、しかも軽量化を図ることができる発砲樹脂などの材質のもので構成するのが好ましい。
【００４８】
＜正座補助椅子の折畳動作の説明＞
以上に述べたように構成される正座補助椅子３１の折畳動作について説明する。
まず、図７において起立位置にある保持部材３５を折畳位置に向けて連結部４２ｃ（図８参照）を中心に回動し、掛止部材４４を脚部材３３に掛け止めて、保持部材３５を折畳位置に保持する（図９（ａ）参照）。
次いで、起立位置にある脚部材３３を既に折り畳まれた保持部材３５と共に折畳位置に向けて連結部３４ｃを中心に回動し、それら脚部材３３と保持部材３５を共に座板３２に重ね合わせて折畳位置に位置させる。
こうして、図９（ｂ）に示されるように、正座補助椅子３１を容易かつコンパクトに折り畳むことができる。
【００４９】
＜正座補助椅子の展開動作の説明＞
次に、正座補助椅子３１の展開動作について説明する。
まず、図９（ｂ）において折畳位置にある脚部材３３をやはり折畳位置にある保持部材３５と共に起立位置に向けて連結部３４ｃを中心に回動し、脚部材３３の基端面をストッパ４１に突き当てて脚部材３３を起立位置に位置決めする（図９（ａ）参照）。
次いで、保持部材３５を折畳位置から起立位置に向けて連結部４２ｃ（図８参照）を中心に回動し、保持部材３５の先端部３５ｃの端縁をストッパ４３の平坦面に突き当てて保持部材３５を起立位置に位置決めする。
こうして、図７に示されるように、一対の脚部材３３，３３を正面視八の字状に起立保持させて正座補助椅子３１を使用可能な状態に容易に展開することができる。
【００５０】
＜第２の実施形態の正座補助椅子の作用効果の説明＞
第２の実施形態の正座補助椅子３１においては、脚部材３３を起立位置に保持する保持部材３５が設けられる。これにより、着座者が横方向へ体重移動したとしても、脚部材３３を起立位置で強固に保持することができる。また、連結部４２ｃを中心とする保持部材３５の回動操作と、連結部３４ｃを中心とする脚部材３３の回動操作とにより、正座補助椅子３１を容易に折り畳んだり展開したりすることができる。したがって、着座者の横方向の体重移動を伴う使用にも耐え、しかも携帯に便利な正座補助椅子３１を得ることができる。
なお、保持部材３５は座板３２を補助的に支持する補強部材としても機能するので、正座補助椅子３１の強度を高めることができ、比較的大きな荷重を支え得るものとすることができる。
【００５１】
〔第３の実施形態〕
図１０には、本発明の第３の実施形態に係る正座補助椅子の全体斜視図が示されている。
【００５２】
＜正座補助椅子の概略構成の説明＞
図１０に示されるように、第３の実施形態の正座補助椅子５１は、座板５２と、脚部材５３と、ヒンジ機構５４と、保持部材５５とを備えている。
【００５３】
＜座板の説明＞
図１１および図１２（ａ）に示されるように、座板５２は、上面板５６と下面板５７とから構成されている。
上面板５６は、基板５８の上面に弾力性に富むクッション材５９が貼り付けられて構成されている。この上面板５６は、着座者の左右方向に対応する横方向の寸法に対して着座者の前後方向に対応する奥行方向の寸法が短い長方形状で、人の臀部（Ｈ）を載せることができる大きさに形成されている。なお、この上面板５６を図示されないカバーで覆うのが好ましい。かかるカバーとしては、合成皮や市販の布地類などが好適である。カバーには、華麗な色柄を付したり、冠婚葬祭に適合する和風調の色柄を付したりするのがよい。また、上面板５６の下面側には、保持部材５５が嵌り込む窪み部５６ａ（図１５（ａ）参照）を形成するのが好ましい。こうすると、上面板５６に保持部材５５を収納することができる。
下面板５７は、上面板５６を所定の比率で縮小した相似形状に形成されている。
【００５４】
＜座板の説明＞
座板５２においては、上面板５６と下面板５７とが分離可能に組み合わされている。
すなわち、上面板５６の基板５８の下面には、奥行方向の中間部において横方向に所定間隔を存して配置される一対の位置決め用の突起５８ａが設けられている。一方、下面板５７には、一対の突起５８ａに対応する一対の嵌合孔５７ａが設けられている。
通常は、一対の突起５８ａと一対の嵌合孔５７ａとを嵌め合せて上面板５６と下面板５７とを組み合わせた座板５２の上に臀部（Ｈ）を載せて正座姿勢をとる。しかし、もう少し小さめの座板に座りたいときには、下面板５７から上面板５６を引き離し、下面板５７を新たな座板としてその下面板５７の上に臀部（Ｈ）を載せて正座姿勢をとる。
【００５５】
＜脚部材の説明＞
脚部材５３は、座板５２を下側から支えるものであり、座板５２の横方向（着座者の左右方向）に一対配置されている。この脚部材５３は、四角形状の板状部材で構成されている。
ここで、脚部材５３の奥行寸法は、下面板５７の奥行寸法と一致されている。また、脚部材５３の脚長寸法は、脚部材５３が後述する起立位置にあるとき、座板５２が所定高さ位置に配されるようにその大きさが決定されている。
なお、所定高さ位置とは、着座者が臀部（Ｈ）を座板５２に載せて正座姿勢をとったとしても、ふくらはぎや足（Ｆ）の圧迫が軽減され、しかも正座姿勢として違和感がないという条件を満足する高さ位置のことである。
【００５６】
＜脚部材のスリットの説明＞
図１２（ｂ）に示されるように、脚部材５３には、所要幅のスリット５３ａが設けられている。このスリット５３ａは、脚部材５３の奥行方向中間部において、脚部材５３の脚長方向中間位置から接地側の端位置（先端位置）に亘って形成されている。
【００５７】
＜座板と脚部材間のヒンジ機構の説明＞
ヒンジ機構５４は、座板５２の横方向の中間部と、脚部材５３の非接地側の端部（基端部）とを接続するものである。このヒンジ機構５４は、第１取付部５４ａと、第２取付部５４ｂと、連結部５４ｃとにより構成されている。
第１取付部５４ａは、下面板５７に押し当てられる比較的薄い金属製の板状部材で構成され、その下面板５７にビス（図示省略）等の固定手段で固定されている。
第２取付部５４ｂは、脚部材５３の基端部の板面に押し当てられる比較的薄い金属製の板状部材で構成され、その脚部材５３の基端部にビス等の固定手段で固定されている。
連結部５４ｃは、第１取付部５４ａと第２取付部５４ｂとを連結するピンを有してなり、これら第１取付部５４ａと第２取付部５４ｂとを互いに揺動自在に接合するものである。
このヒンジ機構５４により、脚部材５３は、座板５２の横方向の中間部から下方に向かって進むにつれて横方向外側に傾いて延びるように起立される起立位置と、座板５２の下面と重なり合うように折り畳まれる折畳位置との間で回動可能とされる。
【００５８】
＜脚部材の起立位置のストッパの説明＞
下面板５７の横方向の中間部には、脚部材５３の非接地側の端面（基端面）と突き当て可能にストッパ６１が接合されている。このストッパ６１は、脚部材５３の基端面に接触する平坦面を有して下面板５７の奥行方向に延びる三角柱状部材で構成されている。
このストッパ６１により、折畳位置から起立位置に向けて回動される脚部材５３が起立位置で止められるので、脚部材５３を起立位置に正確に位置決めすることができる。
【００５９】
＜保持部材の概略説明＞
保持部材５５は、脚部材５３を起立位置に保持するものであって、その脚部材５３に対し抜き差し操作により着脱可能に装着されている。この保持部材５５は、保持部材本体５５ａと、支持アーム５５ｂとにより構成されている。なお、この保持部材５５は、座板５２を補助的に支持する補強部材としても機能する。
【００６０】
＜保持部材本体の説明＞
保持部材本体５５ａは、接地面を有して当該保持部材本体５５ａの土台を形成するベース部６２と、起立位置にある一対の脚部材５３，５３の間にぴったりと嵌り込む山部６３とを有し、一対の脚部材５３，５３のそれぞれのスリット５３ａに抜き差し可能な形状寸法に形成されている。
保持部材本体５５ａの中央部には、手指を挿入可能な丸孔６４が設けられている。この丸孔６４に手指を引っ掛けて保持部材５５を操作することにより、一対の脚部材５３，５３に対する保持部材５５の抜き差し動作をより容易に行うことができる。
【００６１】
＜支持アームの説明＞
支持アーム５５ｂは、保持部材本体５５ａの両側部に一体的に設けられている。この支持アーム５５ｂは、保持部材本体５５ａが一対の脚部材５３，５３のそれぞれのスリット５３ａに差し込まれた状態において、保持部材本体５５ａから下面板５７の横方向端部に向けて延び、その先端面が下面板５７の下面に突き当てられる。
この支持アーム５５ｂの外縁は、座板５２と脚部材５３との間に着座者の足（Ｆ）を組み入れるための空間をより広く確保するため、円弧状に切り欠かれた形状に形成されている。
一方、この支持アーム５５ｂの内縁は、脚部材５３のスリット５３ａを通して脚部材５３に対する保持部材５５の抜き差し動作を容易にするため、円弧状に膨出された形状に形成されている。
【００６２】
＜保持部材の溝の説明＞
保持部材本体５５ａの山部６３と支持アーム５５ｂの基部との間には、脚部材５３のスリット５３ａの奥部が嵌り込む溝部６５（図１３参照）が形成されている。
なお、一対の脚部材５３，５３に保持部材５５が差し込まれて支持アーム５５ｂの先端面が下面板５７の下面に突き当てられた状態において、脚部材５３のスリット５３ａの奥面と、保持部材５５の溝部６５の奥面と間には、若干の隙間が設けられている。これにより、着座者が座板５２に着座した際、座板５２からの荷重を一対の脚部材５３，５３と共に一対の支持アーム５５ｂ，５５ｂに確実に作用するようにされている。
【００６３】
＜保持部材のガイドの説明＞
脚部材５３には、保持部材５５における支持アーム５５ｂの基部との間に位置するようにガイド６６が接合されている。このガイド６６は、脚部材５３に対する保持部材５５の抜き差しを案内するものであり、脚部材５３の板面に接し合わされる傾斜面６６ａと、支持アーム５５ｂと摺接する鉛直面６６ｂと、これら傾斜面６６ａおよび鉛直面６６ｂを繋ぐ水平面６６ｃを有する三角柱状チップで構成されている。
一対の脚部材５３のそれぞれのスリット５３ａを通して保持部材５５を抜き差しする際には、ガイド６６の鉛直面６６ｂに支持アーム５５ｂが摺接される。これにより、保持部材５５がガイド６６の鉛直面６６ｂに沿って直線的に案内され、一対の脚部材５３，５３に対する保持部材５５の抜き差し動作がよりスムーズに行われる。
【００６４】
＜構成部品の材質の説明＞
上面板５６の基板５８や下面板５７、脚部材５３、保持部材５５などの構成部品は、比較的高い剛性を得ることができるとともに軽量化を図ることができる木材や樹脂などの材質のもので構成するのが好ましい。
また、クッション材５９などの構成部品は、比較的高い弾性力を得ることができるとともに軽量化を図ることができる発砲樹脂などの材質のもので構成するのが好ましい。
【００６５】
＜正座補助椅子の折畳動作の説明＞
以上に述べたように構成される正座補助椅子５１の折畳動作について説明する。
まず、図１１において一対の脚部材５３，５３に差し込まれている保持部材５５を図１３中記号Ａ矢印方向に抜き取る。
次いで、起立位置にある脚部材５３を折畳位置に向けて連結部５４ｃを中心に回動し、脚部材５３を座板５２に重ね合わせて折畳位置に位置させる。
こうして、図１４（ａ）に示されるように、正座補助椅子５１を容易かつコンパクトに折り畳むことができる。
なお、図１４（ｂ）に示されるように、下面板５７から上面板５６を分離し、分離した上面板５６を、図１５（ａ）に示されるように、包装体６７の底板上に載せ、この上面板５６の窪み部５６ａに先に抜き取った保持部材５５を嵌め込み、正座補助椅子５１から保持部材５５および上面板５６が取り外された正座補助椅子本体５１ａを、保持部材５５が収納された上面板５６と図１５（ａ）において上下方向に並べるように包装体６７の底板上に載せて、図１５（ｂ）に示されるように、包装体６７の蓋を閉めれば、より携帯に便利な状態にすることができる。
【００６６】
＜正座補助椅子の展開動作の説明＞
次に、正座補助椅子５１の展開動作について説明する。
まず、図１４（ａ）において折畳位置にある脚部材５３を起立位置に向けて連結部５４ｃを中心に回動し、脚部材５３の基端面をストッパ６１に突き当てて脚部材５３を起立位置に位置決めする。
次いで、図１３中記号Ｂ矢印方向に保持部材５５を進め、保持部材５５を一対の脚部材５３，５３のそれぞれのスリット５３ａ（図１２（ｂ）参照）を通して差し込み、保持部材５５の支持アーム５５ｂをガイド６６に宛がいながら更に差し込んでいき、支持アーム５５ｂの先端を下面板５７に突き当てる。
こうして、図１１に示されるように、一対の脚部材５３，５３を正面視八の字状に起立保持させて正座補助椅子５１を使用可能な状態に容易に展開することができる。
【００６７】
＜第３の実施形態の正座補助椅子の作用効果の説明＞
第３の実施形態の正座補助椅子５１においては、脚部材５３を起立位置に保持する保持部材５５が設けられる。これにより、着座者が横方向へ体重移動したとしても、脚部材５３を起立位置で強固に保持することができる。また、一対の脚部材５３，５３に対する保持部材５５の抜き差し操作と、連結部５４ｃを中心とする脚部材５３の回動操作とにより、正座補助椅子５１を容易に折り畳んだり展開したりすることができる。したがって、着座者の横方向の体重移動を伴う使用にも耐え、しかも携帯に便利な正座補助椅子５１を得ることができる。
なお、保持部材５５は座板５２を補助的に支持する補強部材としても機能するので、正座補助椅子５１の強度を高めることができ、比較的大きな荷重をかけることができる。
【００６８】
〔第４の実施形態〕
図１６には、本発明の第４の実施形態に係る正座補助椅子の全体斜視図が示されている。
【００６９】
＜正座補助椅子の概略構成の説明＞
図１６に示されるように、第４の実施形態の正座補助椅子７１は、座板７２と、脚部材７３と、ヒンジ機構７４と、保持部材７５とを備えている。
【００７０】
＜座板の説明＞
図１７および図１８に示されるように、座板７２は、基板７８の上面に弾力性に富むクッション材７９が貼り付けられて構成されている。この座板７２は、着座者の左右方向に対応する横方向の寸法に対して着座者の前後方向に対応する奥行方向の寸法が短い長方形状で、人の臀部（Ｈ）を載せることができる大きさに形成されている。なお、この座板７２を図示されないカバーで覆うのが好ましい。かかるカバーとしては、合成皮や市販の布地類などが好適である。カバーには、華麗な色柄を付したり、冠婚葬祭に適合する和風調の色柄を付したりするのがよい。
【００７１】
＜脚部材の説明＞
脚部材７３は、座板７２を下側から支えるものであり、座板７２の横方向（着座者の左右方向）に一対配置されている。この脚部材７３は、非接地側に開口された開口部７３ａ（図１６参照）を有する側面視Ｕの字形状の板状部材で構成されている。
ここで、脚部材７３の脚長寸法は、脚部材７３が後述する起立位置にあるとき、座板７２が所定高さ位置に配されるようにその大きさが決定されている。
なお、所定高さ位置とは、着座者が臀部（Ｈ）を座板７２に載せて正座姿勢をとったとしても、ふくらはぎや足（Ｆ）の圧迫が軽減され、しかも正座姿勢として違和感がないという条件を満足する高さ位置のことである。
【００７２】
＜座板と脚部材間のヒンジ機構の説明＞
ヒンジ機構７４は、座板７２の横方向の中間部と、脚部材７３の非接地側の端部（基端部）とを接続するものである。このヒンジ機構７４は、第１取付部７４ａと、第２取付部７４ｂと、連結部７４ｃとにより構成されている。
第１取付部７４ａは、基板７８に押し当てられる比較的薄い金属製の板状部材で構成され、その基板７８にビス等の固定手段で固定されている。
第２取付部７４ｂは、脚部材７３の基端部の板面に押し当てられる比較的薄い金属製の板状部材で構成され、その脚部材７３の基端部にビス等の固定手段で固定されている。
連結部７４ｃは、第１取付部７４ａと第２取付部７４ｂとを連結するピンを有してなり、これら第１取付部７４ａと第２取付部７４ｂとを互いに揺動自在に接合するものである。
このヒンジ機構７４により、脚部材７３は、座板７２の横方向の中間部から下方に向かって進むにつれて横方向外側に傾いて延びるように起立される起立位置と、座板７２の下面と重なり合うように折り畳まれる折畳位置との間で回動可能とされる。
【００７３】
＜保持部材の説明＞
保持部材７５は、脚部材７３を起立位置に保持するものであって、座板７２と脚部材７３との間において脚部材７３に対し折り畳み可能に設けられている。
保持部材７５は、脚部材７３の開口部７３ａに丁度嵌り込む四角形状の板状部材で構成され、その基端部（下端部）が脚部材７３の接地側の端部（先端部）にヒンジ機構８２を介して接続されている。
保持部材７５の先端部（上端部）寄りの部位には、手指を挿入可能な丸孔７５ａが設けられている。この丸孔７５ａに手指を引っ掛けて保持部材７５を操作することにより、脚部材７３に対する保持部材７５の回動操作をより容易に行うことができる。
保持部材７５の先端面は、保持部材７５が後述する起立位置にあるときに、座板７２の基板７８にぴったりと接触するよう傾きが付されている。
なお、この保持部材７５は、座板７２を補助的に支持する補強部材としても機能する。
【００７４】
＜脚部材と保持部材間のヒンジ機構の説明＞
ここで、脚部材７３と保持部材７５とを接続するヒンジ機構８２は、第１取付部８２ａと、第２取付部８２ｂと、連結部８２ｃとにより構成されている。
第１取付部８２ａは、脚部材７３の板面に押し当てられる比較的薄い金属製の板状部材で構成され、その脚部材７３にビス等の固定手段で固定されている。
第２取付部８２ｂは、保持部材７５の基端部の板面に押し当てられる比較的薄い金属製の板状部材で構成され、その保持部材７５の基端部にビス等の固定手段で固定されている。
連結部８２ｃは、第１取付部８１ａと第２取付部８２ｂとを連結するピンを有してなり、これら第１取付部８１ａと第２取付部８２ｂとを互いに揺動自在に接合するものである。
このヒンジ機構８２により、保持部材７５は、基板７８の横方向の端部寄りにおける奥行方向中間部に突き当てるように起立される起立位置と、脚部材７３の開口部７３ａにぴったりと嵌り込むように折り畳まれる折畳位置との間で回動可能とされる。
【００７５】
＜保持部材の起立位置のストッパの説明＞
基板７８の横方向の端部には、保持部材７５の先端部の端縁と突き当て可能にストッパ８５が接合されている。このストッパ８５は、保持部材７５の先端部の端縁に接触する平坦面を有する四角板状チップで構成されている。
このストッパ８５により、折畳位置から起立位置に向けて回動される保持部材７５が起立位置で止められるので、保持部材７５を起立位置に正確に位置決めすることができる。
【００７６】
＜構成部品の材質の説明＞
座板７２の基板７８や脚部材７３、保持部材７５などの構成部品は、比較的高い剛性を得ることができ、しかも軽量化を図ることができる木材や樹脂などの材質のもので構成するのが好ましい。
また、クッション材７９などの構成部品は、比較的高い弾性力を得ることができ、しかも軽量化を図ることができる発砲樹脂などの材質のもので構成するのが好ましい。
【００７７】
＜正座補助椅子の折畳動作の説明＞
以上に述べたように構成される正座補助椅子７１の折畳動作について説明する。
まず、図１７において起立位置にある脚部材７３を、図１９（ａ）に示されるように、鉛直方向に真っ直ぐに立てる待機位置に向けて連結部７４ｃを中心に回動するとともに、保持部材７５を折畳位置に向けて連結部８２ｃ（図１８参照）を中心に回動する。
次いで、待機位置にある脚部材７３を既に折り畳まれた保持部材７５と共に折畳位置に向けて連結部７４ｃを中心に回動し、それら脚部材７３と保持部材７５を共に座板７２に重ね合わせて折畳位置に位置させる。
こうして、正座補助椅子７１を容易かつコンパクトに折り畳むことができる。
【００７８】
＜正座補助椅子の展開動作の説明＞
次に、正座補助椅子７１の展開動作について説明する。
まず、図１９（ｂ）において折畳位置にある脚部材７３をやはり折畳位置にある保持部材７５と共に起立位置に向けて連結部７４ｃを中心に回動し、起立位置を越えて脚部材７３を図１９（ａ）に示されるような鉛直方向に真っ直ぐに立てる待機位置に位置させる。
次いで、保持部材７５を折畳位置から起立位置に向けて連結部８２ｃ（図１８参照）を中心に回動するとともに、待機位置にある脚部材７３を起立位置に向けて連結部７４ｃを中心に回動し、保持部材７５の先端部の端縁をストッパ８５の平坦面に突き当てて保持部材７５を起立位置に位置決めする。
こうして、図１７に示されるように、一対の脚部材７３，７３を正面視八の字状に起立保持させて正座補助椅子７１を使用可能な状態に容易に展開することができる。
【００７９】
＜第３の実施形態の正座補助椅子の作用効果の説明＞
第４の実施形態の正座補助椅子７１においては、脚部材７３を起立位置に保持する保持部材７５が設けられる。これにより、着座者が横方向へ体重移動したとしても、脚部材７３を起立位置で強固に保持することができる。また、連結部８２ｃを中心とする保持部材７５の回動操作と、連結部７４ｃを中心とする脚部材７３の回動操作とにより、正座補助椅子７１を容易に折り畳んだり展開したりすることができる。したがって、着座者の横方向の体重移動を伴う使用にも耐え、しかも携帯に便利な正座補助椅子７１を得ることができる。
なお、保持部材７５は座板７２を補助的に支持する補強部材としても機能するので、正座補助椅子７１の強度を高めることができ、比較的大きな荷重をかけることができる。
【００８０】
以上、本発明の正座補助椅子について、複数の実施形態に基づいて説明したが、本発明は上記実施形態に記載した構成に限定されるものではなく、各実施形態に記載した構成を適宜組み合わせる等、その趣旨を逸脱しない範囲において適宜その構成を変更することができるものである。
【００８１】
＜保持部材の折畳状態を保持する保持手段の他の態様例の説明＞
例えば、第２の実施形態（図７参照）においては、保持部材３５の折畳状態を保持する保持手段として、掛止部材４４を用いる例を示したが、これに限定されるものではない。かかる保持手段の他の態様例として、保持部材３５および脚部材３３のいずれか一方に取り付けられる磁石（磁石粉を練り込んだゴム板等も含む）と、保持部材３５および脚部材３３のいずれか他方にその磁石に対応させるように取り付けられる磁性体とを備えてなり、磁石と磁性体との間に作用する磁力によって保持部材３５の折畳状態を保持する構成の保持手段を採用してもよい。
【産業上の利用可能性】
【００８２】
本発明の正座補助椅子は、着座者の横方向の体重移動を伴う使用にも耐え、しかもコンパクトに折り畳み可能であるという特性を有していることから、冠婚葬祭や各種の会合の席などで長時間正座するときにお尻の下に敷く携帯式の椅子としての用途に好適に用いることができる。
【符号の説明】
【００８３】
１        正座補助椅子（第１の実施形態）
２        座板
３        脚部材
４        ヒンジ機構
５，５´  保持部材
１１      ストッパ
３１      正座補助椅子（第２の実施形態）
３２      座板
３３      脚部材
３４      ヒンジ機構
３５      保持部材
４１      ストッパ
５１      正座補助椅子（第３の実施形態）
５２      座板
５３      脚部材
５４      ヒンジ機構
５５      保持部材
６１      ストッパ
６６      ガイド
７１      正座補助椅子（第４の実施形態）
７２      座板
７３      脚部材
７４      ヒンジ機構
７５      保持部材
【図１】
2011229813.tif 000003
【図２】
2011229813.tif 000004
【図３】
2011229813.tif 000005
【図４】
2011229813.tif 000006
【図５】
2011229813.tif 000007
【図６】
2011229813.tif 000008
【図７】
2011229813.tif 000009
【図８】
2011229813.tif 000010
【図９】
2011229813.tif 000011
【図１０】
2011229813.tif 000012
【図１１】
2011229813.tif 000013
【図１２】
2011229813.tif 000014
【図１３】
2011229813.tif 000015
【図１４】
2011229813.tif 000016
【図１５】
2011229813.tif 000017
【図１６】
2011229813.tif 000018
【図１７】
2011229813.tif 000019
【図１８】
2011229813.tif 000020
【図１９】
2011229813.tif 000021
【図２０】
2011229813.tif 000022